(57)【要約】      （修正有）【課題】収納庫内収納物を運ぶ収納庫とカートを連結する連結構造の操作性を良好にし、低コスト化する。【解決手段】収納庫１２と収納物２０を運ぶカート３０を着脱可能な連結構造で、カート３０は、収納物２０を載せる天板部３１ｄから後方に突出するガイド板と、その上側でカート３０と調理庫１２を連結する連結板３５を備え、収納庫１２底部のベースプレートに収納物を載せる上板部周縁部下側に設けた側壁部にガイド板が挿通されるガイド孔と、ベースプレートの上板部に連結板３５に係合孔を備え、連結板３５はガイド板上側で後端部が上下動する様に前端部が水平軸線回りに回動可能に軸支され、連結板３５後端部に係合孔に着脱可能なフック部と、連結板３５の前端部下側に延びる操作板部を備え、天板部３１ｄ前後方向移動可能に支持されて操作板部を押動する操作棒を備えた。【選択図】図１１
2018079896.tif 000002
【特許請求の範囲】
【請求項１】
収納庫と、前記収納庫の前側から収納物を運ぶカートを着脱可能に連結する連結構造であり、
前記カートは、前記収納庫の底部と同じ高さにて前記収納物を載置する天板部と、前記天板部の後端部から後方に突出して設けたガイド板と、前記ガイド板の上側に設けられて前記収納庫と前記カートを連結する連結板とを備え、
前記収納庫の底部には、前記収納物を載置する上板部と、前記上板部の周縁部下側に設けた側壁部と、前記側壁部を構成する前側壁部に前記ガイド板が挿通されるガイド孔と、前記上板部の前部に形成された前記連結板に係合する係合孔とを形成したベースプレートを備え、
前記連結板は前記ガイド板の上側にて後端部が上下動するように前端部が水平軸線回りに回動可能に軸支され、前記連結板の後端部には前記ベースプレートの上板部の上側から斜め前下方に延びて前記係合孔に着脱可能に係合されるフック部と、前記連結板の前端部には下側に延びる操作板部とを備え、
前記天板部には前後方向に移動可能に支持されて前記操作板部を押動操作して前記連結板を回動させる操作棒を備えたことを特徴とする収納庫とカートの連結構造
【請求項２】
請求項１に記載の収納庫とカートの連結構造において、
前記カートの前部にはカートの移動操作に用いるハンドルを前方に突出して設け、前記操作棒の前端部に設けた操作摘みを前記カートと前記ハンドルとの間に配置したことを特徴とする収納庫とカートの連結構造。
【発明の詳細な説明】
【技術分野】
【０００１】
本発明は、収納庫と、収納庫内に収納するモービルラックを運ぶためのカートとを連結する連結構造である。
【背景技術】
【０００２】
特許文献１にはスチームコンベクションオーブン等の加熱調理器にホテルパン等のトレーを多段上に支持するラック（子台車）ごと調理庫に収納する親子台車の発明が開示されている。この親子台車は、ワゴン状の親台車と、親台車に載せられて搬送可能な子台車とから構成され、親台車は搬入先である加熱調理器への移動に用いられ、子台車は親台車と調理庫との間を走行して出し入れされる。親台車は、略矩形のボックス状に組み立てられた台枠を備え、台枠の下部四隅に移動のためのキャスターを備えている。親台車の台枠の上部には上方へ開口した浅い箱状のレール皿が設けられており、レール皿の上側に子台車が載せられる。
【０００３】
レール皿の前端部にはレール皿と調理庫とを架け渡す渡し板が設けられており、レール皿の上側に載せた子台車はこの渡し板を通って調理庫に移動可能となる。渡し板は、先端部を上方へ上げた格納位置と先端部を水平に下げた展開位置との間で回動されるように、レール皿の前端部に水平軸線回りに回動可能に支持されている。渡し板の下側にはカムが設けられており、カムの回動によって格納位置と展開位置との間で回動される。また、レール皿の下側にはカムを回動させるカム軸が設けられており、カムはカム軸の先端部に設けたハンドルの回動操作によって回動する。調理庫の底部には上方に突出する突部が設けられており、渡し板には突部が係合する係合孔が設けられている。渡し板を調理庫に架け渡すときに、渡し板の係合孔に調理庫の突部を係合させることで、渡し板は調理庫に連結される。
【０００４】
また、特許文献２には搬送台車を電動車両に連結してバッテリの交換に用いるバッテリ交換装置の発明が開示されている。バッテリ交換装置の搬送台車には前方に延びるロック部材が設けられており、電動車両にはロック部材が係合するロック孔が設けられている。ロック部材は自然状態においてはばねによってロック方向に付勢されており、搬送台車を電動車両に近づけると、ロック部材は電動車両に設けたスロープ板の表面を案内されてロック解除方向に回動し、電動車両がバッテリの乗せ替え位置までくると、ロック部材がロック孔の上側に至ってロック孔に係合し、搬送台車が電動車両に連結される。また、搬送車両にはロック部材を回動させる操作レバーが設けられており、操作レバーはリンク部材によってロック部材に接続されている。
【先行技術文献】
【特許文献】
【０００５】
【特許文献１】特開２００９−００６８０２号公報
【特許文献２】特開２００３−２１２１２５号公報
【発明の概要】
【発明が解決しようとする課題】
【０００６】
上述した特許文献１に記載の親子台車では、親台車と調理庫を連結するときに、渡し板をハンドルの回動操作によって格納位置から展開位置に回動させなければならなく面倒であった。これに対し、特許文献２の搬送台車は、電動車両に近づけるだけで、ロック部材がスロープ板の表面を案内されてロック孔の上側に移動して自重によってロック孔に係合するようになるものの、ロック部材はばねによってロック方向に付勢されているとともに、多数の部品よりなるリンク機構によって操作されるため、部品点数が多くコストが高くなる問題があった。本発明は、収納庫内に収納する収納物を運ぶための収納庫とカートを連結する連結構造の操作性を良好にしつつコストを低廉に抑えることを目的とする。
【課題を解決するための手段】
【０００７】
上記課題を解決するために、本発明は、収納庫と、収納庫の前側から収納物を運ぶカートを着脱可能に連結する連結構造であり、カートは、収納庫の底部と同じ高さにて収納物を載置する天板部と、天板部の後端部から後方に突出して設けたガイド板と、ガイド板の上側に設けられて収納庫とカートを連結する連結板とを備え、収納庫の底部には、収納物を載置する上板部と、上板部の周縁部下側に設けた側壁部と、側壁部の前面にガイド板が挿通されるガイド孔と、上板部の前部に形成された連結板に係合する係合孔とを形成したベースプレートを備え、連結板はガイド板の上側にて後端部が上下動するように前端部が水平軸線回りに回動可能に軸支され、連結板の後端部にはベースプレートの上板部の上側から斜め前下方に延びて係合孔に着脱可能に係合されるフック部と、連結板の前端部には下側に延びる操作板部とを備え、天板部には前後方向に移動可能に支持されて操作板部を押動操作して連結板を回動させる操作棒を備えたことを特徴とする収納庫とカートの連結構造を提供するものである。
【０００８】
上記のように構成した収納庫とカートの連結構造においては、カートを収納庫の前側から収納庫に近づくように移動させたときに、連結板の後端部のフック部はベースプレートの上板部と周壁部の角部に当たることで、連結板はカートの移動ともに上側に回動する。連結板のフック部の下端は上板部の上側にて係合孔の上側に移動し、連結板は自重によって下側に回動してフック部が係合孔に係合し、カートは収納庫のベースプレートに連結される。収納庫とカートとを連結した後で、操作棒を押動操作すると、連結板は先端部のフック部が上側に移動するように回動し、フック部が係合孔から離脱してカートが移動可能となり、カートを収納庫から前側に遠ざかるように移動させることができる。このように、簡易な構造で収納庫とカートを着脱可能に連結することができ、コストを低廉に抑えることができた。
【０００９】
上記のように構成した収納庫とカートの連結構造においては、カートの前部にはカートの移動操作に用いるハンドルを前方に突出して設け、操作棒の前端部に設けた操作摘みをカートとハンドルとの間に配置するのが好ましい。このようにしたときには、カートを移動させる作業者が操作棒の操作摘みを接触したことによって誤って押動させるのをハンドルにより防ぐことができ、カートを誤って収納庫から離脱させるのを防ぐことができた。
【図面の簡単な説明】
【００１０】
【図１】加熱調理器の扉を開放した状態の正面図である。
【図２】加熱調理器の扉を開放した状態の斜視図である。
【図３】モービルラックの斜視図である。
【図４】トレイを収容したときのモービルラックの斜視図である。
【図５】レールの様々な実施形態を示す概略図である。
【図６】レールを着脱可能とした実施形態の概略図である。
【図７】カートの斜視図である。
【図８】カートの下部にモービルラックを収容した状態での斜視図である。
【図９】カートの側面図である。
【図１０】カートの天板部と調理庫のベースプレートの高さを調整するためのリンク機構を備えた実施形態の概略図である。
【図１１】調理庫とカートを連結した状態の斜視図である。
【発明を実施するための最良の形態】
【００１１】
以下に、本発明の収納庫とカートの連結構造の一実施形態として、モービルラック（収納物）を運ぶカートとスチームコンベクションオーブン等の加熱調理器の調理庫（収納庫）の連結構造の実施形態を添付図面を参照して説明する。加熱調理器１０はスチームコンベクションオーブンと呼ばれるもので、調理庫１２内を蒸気を含んだ熱風を対流させて食材を加熱調理するものである。この加熱調理器１０は、一般的に作業者の腰の高さ程度（約８００ｍｍ）のテーブルに設置されて使用される。図１及び図２に示したように、加熱調理器１０は、ハウジング１１内に食材を加熱調理するための調理庫１２と、ハウジング１１内にて調理庫１２を除いた空間に機械室１３を備えている。調理庫１２の前部には食材を出し入れする前側開口１２ａが設けられており、前側開口１２ａにはこれを開閉する扉１４が設けられている。調理庫１２には食材を入れるホテルパン等のトレイＴが上下方向に多段状に収納可能となっており、この実施形態では上下に１０段のトレイＴを収納可能している。この加熱調理器１０は、調理庫１２内に多数（１０段）のトレイＴを一度に素早く収納可能とするために、多数（１０段）のトレイＴを収容可能としたモービルラック２０を用いて、モービルラック２０ごとトレイＴを調理庫１２に収納させるものである。
【００１２】
図１及び図２に示したように、調理庫１２の底部にはベースプレート１５が設けられており、ベースプレート１５はモービルラック２０を載置する上板部１５ａと、上板部１５ａの周縁部下側に設けた側壁部１５ｂとを備えている。ベースプレート１５の側壁部１５ｂを構成する前側壁部１５ｂ１には後述するカート３０のガイド板３４が挿通されるガイド孔１５ｃが形成されており、ベースプレート１５の上板部１５ａの前部には後述するカート３０の連結板３５が係合する係合孔１５ｄが形成されている。また、ベースプレート１５は前部が上動可能となるように調理庫１２内に支持されている。ベースプレート１５の上板部１５ａの前部上面の高さが後述するカート３０の天板部３１ｄの後部上面の高さより低いときに、ベースプレート１５の上板部１５ａの前部上面はカート３０の天板部３１ｄの後部上面の高さと同じ高さに調整可能となっている。
【００１３】
図３及び図４に示したように、モービルラック２０はホテルパン等のトレイＴを上下に多段状（１０段）に収容するものであり、トレイＴを収容した状態で調理庫１２内に収納されるものである。モービルラック２０は略直方体形状のフレーム２１を備え、フレーム２１は前後左右の四隅に立設した支柱部材２１ａと、四隅の支柱部材２１ａを下端部で前後及び左右に連結する前後左右の水平部材２１ｂと、四隅の支柱部材２１ａを上端部で連結する天板２１ｃを備えている。また、フレーム２１の下端部の前後に延びる左右の水平部材２１ｂには車輪２２が設けられており、モービルラック２０は車輪２２によって走行（移動）可能となっている。フレーム２１の左右両側には前後の支柱部材２１ａとの間に前後に延びるレール２１ｄが設けられており、レール２１ｄはトレイＴの上縁の左右のフランジ部を前後に摺動可能に支持するものである。この実施形態では左右のレール２１ｄは支柱部材２１ａの上下方向に１０箇所設けられている。
【００１４】
図５（ａ）に示したように、レール２１ｄは垂直板部と、垂直板部の上端及び下端から内側に延出させた上板部及び下板部を備えた内側に開いた略コ字形をしている。レール２１ｄは、上板部を垂直板部から斜め上方、下板部を垂直板部から斜め下方となるように上下に開いた略コ字形をしており、レール２１ｄの内側にトレイＴの上縁の左右のフランジ部を入れやすくしている。また、レール２１ｄの下板部は下側に傾斜しているために、トレイＴの上縁の左右のフランジ部がレール２１ｄの下板部に対して線接触により係止して、レール２１ｄの下板部の先端部がトレイＴの上縁のフランジ部を前後に摺動移動させても削られにくくなり、レール２１ｄの下板部の先端部が鋭利に削られないようになる。
【００１５】
なお、レール２１ｄの形状は上下に開いたコ字形に限られるものでなく、図５（ｂ）に示したように、コ字形の下板部の先端をさらに上側に屈曲させた略Ｇ字形としたものや、図５（ｃ）に示したように、コ字形の下板部の上面先端に前後に延びるリブを形成したものであってもよい。また、レール２１ｄの下板部の先端が鋭利に削られたときに容易に交換できるように、レール２１ｄを支柱部材２１ａに着脱可能に取り付けるようにしてもよい。この場合に、図６（ａ）に示したように、レール２１ｄにはクランク部材を取り付け、クランク部材を支柱部材２１ａに形成したカギ形状の係合孔に係合させてもよいし、図６（ｂ）に示したように、レール２１ｄには頭部大径のピンを取り付け、頭部大径のピンを支柱部材２１ａに形成しただるま形状の係合孔に係合させてもよい。頭部大径のピンをだるま形状の係合孔に係合させるようにして、レール２１ｄを支柱部材２１ａに取り付けるようにしたときには、支柱部材２１ａにはレール２１ｄの抜け止めのための抜け止め板を設けるようにするのが好ましい。
【００１６】
フレーム２１の前側および後側にはトレイストッパ２３が回動自在に設けられており、トレイストッパ２３はフレームの前側または後側位置にある係止位置にあるときにトレイＴの前後の移動を規制している。
【００１７】
図７及び図８に示したように、カート３０はモービルラック２０を移動させることを目的としたものである。カート３０は略直方体形状のフレーム３１を備え、フレーム３１は前後左右の四隅に立設した支柱部材３１ａと、四隅の支柱部材３１ａを下端部で前後及び左右に連結する前後左右の下部水平部材３１ｂと、四隅の支柱部材３１ａを上端部で左右に連結する前後の上部水平部材３１ｃと、上部水平部材３１ｃの上側に設けた天板部３１ｄを備えている。
【００１８】
前後に延びる左右の下部水平部材３１ｂには車輪３２が設けられており、カート３０は車輪３２によって走行（移動）可能となっている。左右に延びる前後の下部水平部材３１ｂには前後に延びる左右一対の収納レール３３が設けられている。収納レール３３は使用しないときのモービルラック２０をフレーム３１の内側に収納するためのものであり、図８に示したように、モービルラック２０は収納レール３３の上側でフレーム３１内に収容される。また、収納レール３３にはモービルラック２０の車輪２２と対向する位置に凹部３３ａが形成されており、モービルラック２０は車輪２２を凹部３３ａに係合させることによって前後への移動が規制されている。
【００１９】
天板部３１ｄは上面にモービルラック２０を載置するものであり、天板部３１ｄの上面の高さは調理庫１２内の底部に設けたベースプレート１５の上板部１５ａの上面の高さと略同じとなっている。天板部３１ｄの左右両側はモービルラック２０の左右への移動を規制するために上側に折り曲げられた折曲部３１ｅが形成されている。天板部３１ｄの後端部（調理庫側）は後側の支柱部材３１ａ及び後側の上部水平部材３１ｃよりも後方に突き出ており、天板部３１ｄの後端部は調理庫１２の前端部に連結可能となっている。
【００２０】
図７及び図８に示したように、天板部３１ｄの後端部の左右方向の中央部には切欠き部３１ｆが形成されている。天板部３１ｄの後端部下面には切欠き部３１ｆが形成された位置を下側から覆うようにして後方（調理庫側）に突出するガイド板３４が設けられており、ガイド板３４は調理庫１２の底部のベースプレート１５のガイド孔１５ｃに挿通可能となっている。図９に示したように、ガイド板３４は先端部に下側に傾斜した傾斜部３４ａを備えており、天板部３１ｄの後部上面がベースプレート１５の上板部１５ａの前部上面よりも少し高くなっていても、ガイド板３４は傾斜部３４ａによってガイド孔１５ｃに挿通可能となっている。天板部３１ｄの後部上面がベースプレート１５の上板部１５ａの前部上面よりも少し高くなっている状態で、ガイド板３４を先端部の傾斜部３４ａからベースプレート１５のガイド孔１５ｃに挿通すると、ベースプレート１５の上板部１５ａの前部上面が天板部３１ｄの後部上面と同じ高さとなるように持ち上げられる。なお、図１０（ａ）に示したように、ベースプレート１５の内部にベースプレート１５を持ち上げるリンク機構を配設したり、図１０（ｂ）に示したように、カート３０のフレーム３１に天板部３１ｄを持ち上げるリンク機構を配設して、ベースプレート１５の上板部１５ａの上面と天板部３１ｄの上面とを同じ高さに調整可能としてもよい。
【００２１】
図９に示したように、天板部３１ｄの後端部には切欠き部３１ｆが形成され位置にてガイド板３４の上側に連結板３５が水平軸線回りに回動可能に設けられており、連結板３５は後端部が上下動するように前端部が水平軸線回りに回動可能に軸支されている。連結板３５の後端には斜め前下方に延びるフック部３５ａが設けられており、フック部３５ａはベースプレート１５の係合孔１５ｄに係合可能となっている。また、ガイド板３４の上側に配置される連結板３５の後端、すなわちフック部３５ａの上端はベースプレート１５の上板部１５ａよりも高い位置に配置されており、フック部３５ａの下端はベースプレート１５の上板部１５ａよりも低い位置に配置されている。調理庫１２の前側にあるカート３０を調理庫１２に近づくように後側に移動させたときに、連結板３５のフック部３５ａはベースプレート１５の上板部１５ａと前側壁部１５ｂ１との間の角部に当たり、連結板３５は先端部のフック部３５ａが上板部１５ａの上側位置となるように上側に回動する。連結板３５の前端部には下側に延びる操作板部３５ｂが設けられており、操作板部３５ｂを後側（調理庫側）に押動操作すると連結板３５の先端部が上側に回動するようになっている。
【００２２】
図９に示したように、天板部３１ｄの下面には連結板３５の前側にて操作棒３６が前後方向に移動可能に支持されており、操作棒３６は連結板３５の操作板部３５ｂを後側に押動操作するものである。操作棒３６の前端部はフレーム３１の前側の上部水平部材３１ｃより前方に延び、操作棒３６の前端部には操作棒３６を押動操作するための操作摘み３６ａが設けられている。操作棒３６の操作摘み３６ａを後側に移動するよう押動操作すると、連結板３５の操作板部３５ｂが後側に押されて、連結板３５の後端部のフック部３５ａが上側に回動する。操作棒３６の操作摘み３６ａを離すと、連結板３５のフック部３５ａが自重によって下側に回動し、連結板３５の操作板部３５ｂが後側に押された状態から前側に戻り、操作棒３６が後側に移動した状態から前側に戻される。
【００２３】
図７〜図９に示したように、フレーム３１の前部（調理庫１２側の反対側）にはカート３０の移動操作に用いるハンドル３７が前側（外側）に突出して設けられている。ハンドル３７は後側に開いた略コ字形をし、後側の左右の支柱部材３１ａの上端部に固定されている。ハンドル３７の内側にはカート３０のフレーム３１との間に操作棒３６の操作摘み３６ａが配置されている。
【００２４】
上記のように構成した調理庫１２とカート３０の連結構造を用いたときのカート３０から調理庫１２へのモービルラック２０の移動作業について説明する。カート３０の天板部３１ｄの上面にモービルラック２０を載置し、モービルラック２０の各レール２１ｄにホテルパン等のトレイＴを収容する。この状態で、カート３０を調理庫１２の前側から調理庫１２に近づけると、ガイド板３４がベースプレート１５のガイド孔１５ｃに挿通され、連結板３５のフック部３５ａがベースプレート１５の上板部１５ａと前側壁部１５ｂ１との間の角部に当たって、連結板３５は先端部のフック部３５ａが上側に回動する。連結板３５のフック部３５ａの下端がベースプレート１５の上板部１５ａの上側に至ると、連結板３５のフック部３５ａが下側に回動し、フック部３５ａが上板部１５ａの係合孔１５ｄに係合する。図１１に示したように、連結板３５のフック部３５ａがベースプレート１５の係合孔１５ｄに係合することで、カート３０の天板部３１ｄが調理庫１２のベースプレート１５に連結される。
【００２５】
カート３０の天板部３１ｄの上側のモービルラック２０を調理庫１２のベースプレート１５の上側に移した後で、操作棒３６の操作摘み３６ａを摘んで後側に移動するように押動操作すると、連結板３５の操作板部３５ｂは後側に押され、連結板３５の先端部のフック部３５ａが上側に回動してベースプレート１５の係合孔１５ｄから離脱し、天板部３１ｄと調理庫１２のベースプレート１５の連結状態が解除される。この状態で、カート３０を前方に移動させると、カート３０は加熱調理器１０の調理庫１２から離間させることができる。カート３０を調理庫１２の前側から前方に移動させた後で、操作棒３６の操作摘み３６ａを離すだけで、連結板３５のフック部３５ａが自重によって下側に回動し、連結板３５の操作板部３５ｂが後側に押された状態から前側に戻り、操作棒３６が後側に移動した状態から前側に戻される。このように、本発明の調理庫１２とカート３０の連結構造は、簡易な構造でカート３０と調理庫１２を着脱可能に連結することができ、コストを低廉に抑えることができた。また、カート３０の調理庫１２側と反対側にはカート３０の移動操作に用いるハンドル３７を外側に突出して設け、操作棒３６の操作摘み３６ａをカート３０とハンドル３７との間に配置した。これにより、カート３０を移動させる作業者が操作棒３６の操作摘み３６ａを接触したことによって誤って押動させるのをハンドル３７により防ぐことができ、カート３０を誤って調理庫１２から離脱させるのを防ぐことができた。
【００２６】
なお、この実施形態では、収納庫とカートの連結構造の一例として、加熱調理器１０の調理庫１２とカートの連結構造について説明したが、本発明はこれに限られるものでなく、他の収納庫として、冷蔵庫、ブラストチラーの冷却庫等に、モービルラックのような収納物を収納するものであってもよい。
【符号の説明】
【００２７】
１２…収納庫（調理庫）、１５…ベースプレート、１５ａ…上板部、１５ｂ…側壁部、１５ｂ１…前側壁部、１５ｃ…ガイド孔、１５ｄ…係合孔、２０…収納物（モービルラック）、３０…カート、３１ｄ…天板部、３４…ガイド板、３５…連結板、３５ａ…フック部、３５ｂ…操作板部、３６…操作棒、３６ａ…操作摘み、３７…ハンドル。
【図１】
2018079896.tif 000003
【図２】
2018079896.tif 000004
【図３】
2018079896.tif 000005
【図４】
2018079896.tif 000006
【図５】
2018079896.tif 000007
【図６】
2018079896.tif 000008
【図７】
2018079896.tif 000009
【図８】
2018079896.tif 000010
【図９】
2018079896.tif 000011
【図１０】
2018079896.tif 000012
【図１１】
2018079896.tif 000013